(57)【要約】【課題】  簡単な構成で不用意に連結が外れることがない医療用液体回路の接続装置を提供する。【解決手段】  液体回路接続部分の、一方の端部に取り付けられ筒状の差込部を有する内筒部材１４と、内筒部材１４の差込部の基端部に形成された係合部１６と、液体回路接続部分の他方の端部に取り付けられ内筒部材１４の差込部が挿入して接合される外筒部材２０と、外筒部材２０の側周面に形成された雄ねじ部２２を備える。外筒部材２０には、内筒部材１４と外筒部材２０の接合部分を覆う筒状のロック部材２８が同軸に嵌合している。ロック部材２８には、内筒部材１４の係合部に当接する当接面３３と、外筒部材２０の雄ねじ部２２に螺合する雌ねじ部３０が設けられている。ロック部材２８の当接面３３と、当接面１８に対向する内筒部材１４の係合部のいずれか一方に、柔軟性が高く対向する部材に密着する樹脂で作られた密着部材１８を備える。【選択図】      図１
2005124825.tif 000002
【特許請求の範囲】
【請求項１】
液体回路の接続部分の一方の端部に取り付けられ筒状の差込部を有する内筒部材と、上記内筒部材の上記差込部の基端部に形成された係合部と、上記液体回路の接続部分の他方の端部に取り付けられ上記内筒部材の差込部が挿入して接合される外筒部材と、上記外筒部材の側周面に形成された雄ねじ部と、上記内筒部材と上記外筒部材の接合部分を覆う筒状のロック部材と、上記ロック部材に設けられ上記内筒部材から上記差込部の突出方向へ抜け落ちないために上記内筒部材の係合部に当接する当接面と、上記外筒部材の上記雄ねじ部に螺合する雌ねじ部が設けられ、上記ロック部材の上記当接面とこの当接面に対向する上記内筒部材の係合部のいずれか一方に、柔軟性が高く対向する部材に密着する樹脂で作られた密着部材が設けられていることを特徴とする医療用液体回路の接続装置。
【請求項２】
上記ロック部材の上記雄ねじ部とそれに螺合する上記外筒部材の上記雄ねじ部のいずれか一方に、柔軟性が高く対向する部材に密着する樹脂で作られた密着部材が設けられていることを特徴とする請求項1記載の医療用液体回路の接続装置。
【発明の詳細な説明】
【技術分野】
【０００１】
本発明は、輸血や点滴、人工透析等に使われる医療用流体回路の接続装置に関する。
【背景技術】
【０００２】
従来、血液や点滴液等の医療用液体を流す流体回路には、透析装置や留置針等に接続する箇所等、いくつかの接続部分がある。また、病状により、１本の点滴回路に複数の薬液注入箇所を設ける場合があり、このような場合、点滴回路のプラスチック管に、薬液の流れる方向が調節可能な３法活栓を取り付ける。
【０００３】
これら従来の医療用流体回路の接続方法は二種類あり、その一方のスリップイン型は、ポリカーボネート製など（その他、ＰＰあるいはＰＥあるいはテフロン（登録商標）等）のテーパー状の凸型中空ニップルを、ポリカーボネート製のテーパー状の凹型中空構造にねじ込み、接合するものである。この方法による接続の信頼度は、材質間の相性と技術者の接続技術力による。他方の接続方法であるルアーロック型は、プラスチック製のテーパー状の凸型中空ニップルに、雌ねじが形成されたコネクタ部材を取り付け、プラスチック製テーパー状の凹形中空ニップルにねじ込むものである。これにより、凹形中空ニップルの接続部外周には雄ねじが刻まれ、コネクタ部材を凹形中空ニップルに螺合させ、接合する。この方法による接続の信頼度は、材質間の相性とルアーロックのかかり方（接触面の粘り）による。
【特許文献１】特開平８−１５５０２５号公報
【特許文献２】特開平１１−２５６３５５３号公報
【発明の開示】
【発明が解決しようとする課題】
【０００４】
医療用流体回路を接続する場合、離脱を意識し、両者がスリップイン構造の場合はそれぞれの部品の突起部間を輪ゴムなどの持つ収縮力を利用して弾力による固定をして工夫しているが、接続に確実性はない。また、ルアーロック型でも、接続相互材質間に粘りがないため、安全が確保されない。つまり、容易にロックできるが、わずかな刺激により容易に凹ねじが回転し、スリップイン型と同様の接続状態となってしまうことがある。
【０００５】
この発明は、上記従来の技術の問題点に鑑みてなされたもので、簡単な構成で不用意に連結が外れることがない医療用液体回路の接続装置を提供することを目的とする。
【課題を解決するための手段】
【０００６】
本発明は液体回路の接続部分の一方の端部に取り付けられ筒状の差込部を有する内筒部材と、上記内筒部材の上記差込部の基端部に形成された係合部と、上記液体回路の接続部分の他方の端部に取り付けられ上記内筒部材の差込部が挿入して接合される外筒部材と、上記外筒部材の側周面に形成された雄ねじ部が設けられた医療用液体回路の接続装置であり、上記内筒部材と上記外筒部材の接合部分を覆う筒状のロック部材が設けられている。上記ロック部材には、上記内筒部材から抜け落ちないために上記内筒部材の係合部に当接する当接面と、上記外筒部材の上記雄ねじ部に螺合する雌ねじ部が設けられている。上記ロック部材の上記当接面とこの当接面に対向する上記内筒部材の係合部のいずれか一方に、柔軟性が高く対向する部材に密着する樹脂で作られた密着部材が設けられている。上記樹脂は、シリコンラバー等である。
【０００７】
また、上記ロック部材の上記雄ねじ部とそれに螺合する上記外筒部材の上記雄ねじ部のいずれか一方に、柔軟性が高く対向する部材に密着する樹脂で作られた密着部材が設けられている。
【発明の効果】
【０００８】
本発明の医療用液体回路の接続方法は、簡単な構造で確実に接続され、不用意に接続が外れることが無く、点滴や輸血、人工透析などの治療を安全に行うことができる。
【発明を実施するための最良の形態】
【０００９】
以下、この発明の実施の形態について図面に基づいて説明する。図１はこの発明の第一実施形態を示すものであり、この実施形態の医療用液体回路の接続装置１０は、点滴の薬液が入れられた容器や人工透析装置等に接続される柔軟な第一チューブ１２が設けられ、第一チューブ１２の流出側端部１２ａに、内筒部材１４が差し込まれ密着して取り付けられている。
【００１０】
内筒部材１４は、ほぼ円筒状に形成され、軸方向の一端部である入口側端部１４ａが第一チューブ１２の内側に密着して嵌合されている。内筒部材１４の入口側端部１４ａの反対側は後述する外筒部材２０に嵌合される差込部である出口側端部１４ｂとなる。内筒部材１４の側周面１４ｃには、内筒部材１４の軸方向のほぼ中心付近に、側周面１４ｃから側方に突出する係合部１６が側周面１４ｃを一周して設けられている。
【００１１】
係合部１６の、入口側端部１４ａの端面１６ａは、内筒部材１４の軸方向に対して直角に位置し、端面１６ａ表面には、柔軟性が高く密着性の高い柔軟な樹脂やゴム製の密着部材１８が設けられている。密着部材１８は、例えばシリコンラバー等で一定厚みに形成されている。密着部材１８の取付方法は、内筒部材１４の成型後に別に成型する。また、内筒部材１４の側周面１４ｃの係合部１６よりも先端側は、僅かに先端に向かって細くなるテーパー面に形成されている。
【００１２】
内筒部材１４の出口側端部１４ｂには、内筒部材１４よりも径が太い円筒状の外筒部材２０が密着して取り付けられている。外筒部材２０の中空部分は、挿入筒部２１となり、外筒部材２０の入口側端部２０ａから挿入筒部２１に、内筒部材１４の出口側端部１４ｂが差し込まれ出口側端部１４ｂのテーパー面により密着して取り付けられる。外側筒部２０の出口側端部２０ｂは、外筒部材２０の軸方向のほぼ中心付近から出口側端部２０ｂまで連続して、後述する第二チューブ２６が嵌合される大径部２４が設けられている。外筒部材２０の側周面２０ｃには、入口側端部２０ａ付近に、雄ねじ部２２が設けられている。
【００１３】
外筒部材２０の大径部２４に、皮膚に打つ針に接続される第二チューブ２６の流入側端部２６ａが密着して差し込まれている。第二チューブ２６の先端は、皮膚に刺す留置針や、３法活栓等に接続されている。
【００１４】
そして、内筒部材１４の外側には、円筒状のロック部材２８が設けられている。ロック部材２８は、内筒部材１４の軸方向に、係合部１６よりも入口側端部１４ａ側と第一チューブ１２に移動可能に取り付けられている。ロック部材２８の内周面には、外筒部材２０の雄ねじ部２２に螺合される雌ねじ部３０が形成されている。ロック部材２８の、第一チューブ１２側の端部２８ａには、ロック部材２８の内側に一周して突出するガイド部３２が一周して設けられている。ガイド部３２の中心に位置する挿通口３４は、第一チューブ１２をゆとりを有して挿通可能な大きさであり、なおかつ内筒部材１４の係合部１６は挿通しない直径に形成されている。ガイド部３２の、ロック部材２８の軸方向に対してほぼ直角に位置し内筒部材１４の係合部１６の密着部材１８に対向する部分は、当接面３３であり、ロック部材２８が内筒部材１４の出口側端部１４ｂから抜け落ちることを防ぐ。
【００１５】
次に、医療用液体回路の接続装置１０の取付方法について説明する。まず、第一チューブ１２と第二チューブ２６に、予め水密に内筒部材１４と外筒部材２０を押し込んで取り付け、そして内筒部材１４の出口側端部１４ｂを、外筒部材２０の挿入筒部２１に差し込み、水密に圧接させる。
【００１６】
次に、ロック部材２８を、内筒部材１４と外筒部材２０の接合部分を覆う位置に移動させ、ロック部材２８の雄ねじ部３０を外筒部材２０の雄ねじ部２２に螺合させる。螺合が深くなるにともない、内筒部材の係合部１６の端面１６ａにロック部材２８の当接面３２ａが当たる。このとき、内筒部材１４の係合部１６の端面１６ａに設けられた密着部材１８がロック部材２８の当接面３２ａに密着し、ロック部材２８の、内筒部材１４と外筒部材２０に対する回転を抑え、ロック部材２８の雄ねじ部３０と外筒部材２０の雄ねじ部２２の螺合が解除されることを防ぐ。これにより、内筒部材１４と外筒部材２０は、ロック部材２８によって確実に連結される。
【００１７】
この実施形態の医療用液体回路の接続装置１０によれば、ロック部材２８が確実に内筒部材１４と外筒部材２０の接続を確保することができる。ロック部材２８に対して外筒部材２０との螺合を解除する方向の力が加えられても、ロック部材２８は密着部材１８により、高い摩擦力で回転を抑制されているため、接続が維持される。このため、施療中に医療用液体回路が離脱して液体が漏れたり、離脱した部分からの細菌の進入による感染症の危険性を避けることができる。
【００１８】
なお、この発明の接続装置は、上記実施形態に限定されるものではなく、連結する流体の種類や用途は問わないものであり、各部材の形状や個数、素材など自由に変更可能である。内筒部材の係合部に取り付けられた密着部材は、係合部ではなく、係合部に当接するロック部材の当接面の方に取り付けられても良い。またロック部材の雄ねじ部と外筒部材の雄ねじ部の、少なくとも一方に密着部材が取り付けられても良い。密着部材の素材は、シリコンラバー以外に、相対的に柔軟で密着性を有する各種樹脂材料でも良い。
【図面の簡単な説明】
【００１９】
【図１】この発明の医療用液体回路の接続装置を示す縦断面図である。
【符号の説明】
【００２０】
１０  医療用液体回路の接続装置
１２  第一チューブ
１４  内筒部材
１６  係合部
１８  密着部材
２０  外筒部材
２２  雄ねじ部
２４  大径部
２６  第二チューブ
２８  ロック部材
３０  雌ねじ部
３２  ガイド部
３３  当接面
３４  挿通口
【図１】
2005124825.tif 000003